(57)【要約】      （修正有）【課題】ファッション性の高い店舗の店頭にも陳列可能な簡易老視用眼鏡、及び簡易老視用眼鏡販売セットを提供する。【解決手段】簡易老視用眼鏡１は  レンズ２をフレーム３に取付けた状態で陳列・販売され、レンズ２は、度数０の無矯正部と、累進的に度数が変化する累進部とを有する累進多焦点レンズからなる。レンズ２又はフレーム３に、レンズ２の最大度数を表示する記号４が付されているとよい。また、本考案は、最大度数が異なる複数の簡易老視用眼鏡１と、当該複数の簡易老視用眼鏡１を最大度数の大きい順に、又は小さい順に配列可能な陳列棚５ａを有する陳列台５を備え、簡易老視用眼鏡１を適宜の棚へ陳列するための目印として、当該棚に陳列すべき簡易老視用眼鏡と同じ記号６が付されている簡易老視用眼鏡販売セットを含む。【選択図】図２
0003183968.tif 000002
【実用新案登録請求の範囲】
【請求項１】
レンズをフレームに取付けた状態で陳列・販売される簡易老視用眼鏡であって、
前記レンズは、度数０の無矯正部と、累進的に度数が変化する累進部とを有する累進多焦点レンズからなることを特徴とする簡易老視用眼鏡。
【請求項２】
前記レンズ又は前記フレームに、前記レンズの最大度数を表示する記号が付されている請求項１に記載の簡易老視用眼鏡。
【請求項３】
最大度数が異なる請求項２に記載の複数の簡易老視用眼鏡と、
前記複数の簡易老視用眼鏡を最大度数の大きい順に又は小さい順に配列可能な陳列棚を有する陳列台と
を備え、
前記簡易老視用眼鏡を適宜の棚へ陳列するための目印として、当該棚に陳列すべき簡易老視用眼鏡と同じ記号が付されている簡易老視用眼鏡販売セット。
【考案の詳細な説明】
【技術分野】
【０００１】
この考案は、レンズをフレームに取付けた完成品の状態で店頭に陳列し、購入者の視力を測定せずに販売する簡易眼鏡に関する。
【背景技術】
【０００２】
今日、書店や駅の売店等で、予めレンズがフレームに取付けられ即使用可能な完成品の状態で陳列・販売される老視用の簡易眼鏡が広く普及している。この簡易眼鏡は、通常度数の異なるレンズを備えたものが複数陳列されており、購入者は、陳列された眼鏡を試着して自分の視力に合うものを選んで購入する。かかる簡易眼鏡は、購入者の視力を測定せずに販売するため、視力を測定するコストを抑えて低価格で販売できるというメリットがある。
【０００３】
ところが、従来販売されている老視用簡易眼鏡は単焦点であるため、本からふと顔を上げるとき等、眼鏡を外さなくては遠くのものに焦点が合わないという問題が有った。
【０００４】
そこで、特許文献１及び特許文献２に示すように、２重焦点レンズを備えた簡易眼鏡が提案されている。特許文献１の簡易眼鏡は、レンズの下半分がやや強い老視用の度数に設定され、レンズの上半分が下半分より弱い老視の度数に設定されている。また、特許文献２の簡易眼鏡は、レンズの上半分が裸眼用レンズでレンズの下半分が老視用レンズに形成されている。
【先行技術文献】
【特許文献】
【０００５】
【特許文献１】特開２００２−２０２４８１号公報
【特許文献２】特開２０１２−１５０４１７号公報
【考案の概要】
【考案が解決しようとする課題】
【０００６】
しかし、特許文献１や特許文献２の簡易眼鏡は、上下のレンズの間に目に見えて境界線が存在するため、老視用眼鏡であることが一目瞭然であり、若い人も利用するようなファッション性の高い店舗の場合、店舗の雰囲気が損なわれることを意識して、陳列がためらわれる虞が有った。
【０００７】
本考案は、上記課題に鑑みてなされたものであり、ファッション性の高い店舗のイメージを損なうことがなく、陳列を受け入れてくれる店舗業種の拡大が可能な老視用簡易レンズの提供を目的とする。
【課題を解決するための手段】
【０００８】
上記課題を解決するためになされた考案は、レンズをフレームに取付けた状態で陳列・販売される簡易老視用眼鏡であって、前記レンズは、度数０の無矯正部と、累進的に度数が変化する累進部とを有する累進多焦点レンズからなることを特徴とする。
【０００９】
本考案に係る簡易老視用眼鏡では、このように、レンズが、累進的に度数の変化する累進多焦点レンズからなるので、レンズに境界線がなく意匠性に優れるため、ファッション性の高い店舗の店頭にも陳列することが可能となる。また、度数０の無矯正部を有することで、ファッション性を意識して眼鏡ではなくコンタクトレンズにより近視を矯正している人がコンタクトレンズを着用したまま当該簡易老視用眼鏡を使用することができる。
【００１０】
本考案の簡易老視用眼鏡は、前記レンズ又は前記フレームに、前記レンズの最大度数を表示する記号が付されていることが好ましい。こうすることで、当該簡易老視用眼鏡の度数の異なるものを複数購入した場合に、当該記号を目安に複数の眼鏡から目的に合った最適の度数の眼鏡を簡単に選択することができる。
【００１１】
本考案は、最大度数が異なる前記の記号が付された複数の簡易老視用眼鏡と、前記複数の簡易老視用眼鏡を最大度数の大きい順に又は小さい順に配列可能な陳列棚を有する陳列台とを備え、前記簡易老視用眼鏡を適宜の棚へ陳列するための目印として、当該棚に陳列すべき簡易老視用眼鏡と同じ記号が付されている簡易老視用眼鏡販売セットを含む。このように眼鏡と陳列棚に同じ記号を付すことで、眼鏡を試着した人が所定の陳列棚に容易に眼鏡を戻すことができる。
【考案の効果】
【００１２】
以上説明したように、本考案の簡易老視用眼鏡によれば、ファッション性の高い店舗にも陳列することが可能となるため、当該簡易眼鏡を陳列してくれる店舗の業種を拡大することができる。
【図面の簡単な説明】
【００１３】
【図１】本考案の一の実施形態に係る簡易老視用眼鏡のレンズ周辺を示した要部正面図である。
【図２】本考案の一の実施形態に係る簡易老視用眼鏡販売セットの斜視図である。
【考案を実施するための形態】
【００１４】
以下、適宜図面を用いながら本考案の実施形態について詳述する。図１は、本考案の一の実施形態に係る簡易老視用眼鏡１を示している。簡易老視用眼鏡１は、左右一対の累進多焦点レンズ２，２と、フレーム３とを主に有している。
【００１５】
累進多焦点レンズ２は、透明樹脂により一体成型され、図１に示すように、レンズ２の概ね上側半分を占める無矯正部２１と、レンズ２の中央からレンズ下方へ累進的に度数が変化する累進部２２とを有している。図１中の符号２１ａは、遠方を見る場合に使用する部分を示し、符号２２ａは、累進部２２の最大度数となる最大度数部を示している。無矯正部２１は、全体的に度数が０に形成され、累進部２２は、下方に向かうにつれ度数が徐々に上がるよう形成されている。累進多焦点レンズ２の最大度数は、図１の一覧表に示すように、＋１．００から０．５０度刻みに＋３．００度まで５種類に設定されている。
【００１６】
尚、無矯正部２１及び累進部２２の形状は、図１の形状に限らず、公知の形状を適宜採用することができる。
【００１７】
累進多焦点レンズ２は、プラスチックレンズ、ガラスレンズ何れのレンズも用いることができるが、経済性及び耐久性を考慮するとプラスチックレンズが好ましい。また、ファッション性を考慮すると、レンズを薄くできる高屈折レンズが好ましい。
【００１８】
フレーム３は、本実施形態では、リム部３１ａ、ブリッジ３１ｂ、及び智３１ｃを樹脂により一体成形した前側部分３１と耳に掛ける左右一対のテンプル部３２，３２（図２参照）とからなる。フレーム３の材質としては、アセテートやセルロイド等の樹脂の他、金やチタン、ステンレス等の金属、べっ甲や木材のような天然材料の他、公知の材料を適宜用いることができる。
【００１９】
テンプル３２の内側には、図２に示すように、最大度数部２２ａの度数を示す記号４（図２中の表参照）が記してある。記号４はフレーム３に限らずレンズ２に設けてもよく、フレーム３やレンズ２と一体的に形成してもよいし、シールのように別体に設けたものを貼付等してもよい。
【００２０】
本考案に係る簡易老視用眼鏡販売セット１０は、図２に示したように、最大度数の異なる複数（図２の例では５種類）の簡易老視用眼鏡１，…と、眼鏡１の数だけ陳列棚５ａを備えた陳列台５とを備えている。陳列棚５ａ，…には、上から最大度数の小さい順に（又は大きい順に）並べて展示する。陳列台５には、各展示棚５ａのブリッジ係止部５ｂの先端にフレーム３に付された記号４と同じ絵柄からなる記号６が付されている。記号６は、図示の個所以外にも設けることができる。
【００２１】
本実施形態の簡易老視用眼鏡１は、近視は有さず老視のみを有する人や、近視と老視を有し近視用のコンタクトレンズを装着した人に適しており、かかる人が、本考案の簡易老視用眼鏡１を着用した場合、視線を上げることにより無矯正部２１の２１ａ部分近傍を通して遠くを見ることができ、視線を下げることにより最大度数部２２ａ近傍を通して手元の書物等近くを見ることができる。視線を下げる途中では、レンズの度数が徐々に大きくなるため、違和感なく中間距離に視点を合わせることができ、見る対象によって眼鏡をかけたり外したりする必要がなく、煩わしさを解消できるとともに首や肩が疲れることを抑制できる。
【００２２】
また、本考案の簡易老視用眼鏡１は、無矯正部２１と累進部２２の間に境界線を有さないため、意匠性が良く、ファッション性の高い店舗の店頭にも陳列することができるため、簡易老視用眼鏡の販売店を拡張することができる。また、簡易老視用眼鏡販売セット１０は、簡易老視用眼鏡１及び陳列台レンズ５に最大度数を表示する記号４及び６が付されているため、眼鏡を試着した人が、所定の陳列棚５ａに眼鏡１を戻し易い。
【００２３】
本考案の簡易老視用眼鏡は、上記の実施形態に限られるものではなく、例えば、レンズとフレームを別体に成形するのではなく、一体に成形してもよい。陳列台に陳列する簡易眼鏡の数は、４個以下でもよいし６個以上でもよい。レンズの最大度数部の度数は、表１のように０．５度刻みに限らず、１度刻みにすることもできる。陳列台５は、図示の例に限らず、複数の眼鏡を同一平面上に並べるような陳列棚の他、公知の陳列台を適宜用いることができる。
【産業上の利用可能性】
【００２４】
本考案の簡易老視用眼鏡は、意匠性が高いため、ファッション性の高い店舗の店頭に陳列して販売する簡易眼鏡に好適に採用することができる。
【符号の説明】
【００２５】
１  簡易老視用眼鏡
２  レンズ
２１  無矯正部
２２  累進部
２２ａ  最大度数部
３  フレーム
４  記号
５  陳列台
５ａ  陳列棚
６  記号
１０  簡易老視用眼鏡販売セット
【図１】
0003183968.tif 000003
【図２】
0003183968.tif 000004